(57)【特許請求の範囲】
【請求項１】
遊技球を研磨材により研磨しながら搬送し、研磨により除去された塵埃が集塵ホース内を搬送されて集塵される集塵機が備えられた研磨揚送リフトにおいて、
前記集塵機は、吸引コンプレッサと、この吸引コンプレッサが接続された吸気口および前記集塵ホースが接続された集塵口が形成された負圧ケースと、前記集塵口に備えられた振動ベースと、開口部が前記負圧ケースの内側で前記集塵口を覆うと共に前記振動ベースに接続され、前記集塵口を通過した塵埃を受け取る集塵パックと、前記振動ベースを振動させることによって前記集塵パックを振動させる振動付与手段と、
から構成され、
前記吸引コンプレッサの吸気により負圧となった前記負圧ケースに吸引されて前記集塵パックに濾されることでこの集塵パックの内側に付着した塵埃が、前記振動付与手段によって前記振動ベースを介して振動させられた前記集塵パックの内側から剥離される、
ことを特徴とする研磨揚送リフト。
【請求項２】
前記振動付与手段および前記吸引コンプレッサを所定のスケジュールに従って稼働または休止する制御手段が備えられた、
ことを特徴とする請求項１に記載の研磨揚送リフト。
【請求項３】
前記集塵パックの前記開口部に着脱部材が備えられ、
この着脱部材が、前記振動ベースを介して前記集塵口と着脱自在である、
ことを特徴とする請求項１または請求項２に記載の研磨揚送リフト。
【発明の詳細な説明】
【技術分野】
【０００１】
本発明は、集塵機が備えられた研磨揚送リフトに関するものである。
【背景技術】
【０００２】
従来、研磨装置は、研磨する遊技媒体であるパチンコ球を研磨材と混合させ、研磨管に送ってパチンコ球と研磨材とを撹拌させながら揚送し、その間にパチンコ球が研磨されるように構成されている。この研磨装置の下方には粉塵を集塵する集塵器が配設されている。
【０００３】
上記集塵器の内部には、研磨によりパチンコ球から分離された粉塵が吸引されて集塵される集塵室が設けられている。この集塵室は、集塵フィルターによって負圧室が区画されている。また、集塵室の底部には、集塵した粉塵を蓄積し、廃棄するために取り外し可能なトレーが組み込まれている。集塵フィルターの上方には、集塵フィルターの下面に付着した粉塵を落とすための、集塵フィルターの上面を叩打することが可能な叩打手段が設けられている。
【０００４】
上記のように構成された集塵器において、負圧室の空気が吸引されると、粉塵は集塵室へ吸引されて集塵フィルターの下面に付着され、叩打手段によって集塵フィルターの上面が叩打されることで粉塵が吹き落とされる。
【先行技術文献】
【特許文献】
【０００５】
【特許文献１】特開平１０−７６０６６号公報
【発明の概要】
【発明が解決しようとする課題】
【０００６】
しかし、上記集塵器では、粉塵を落とすために叩打手段によって集塵フィルターを直接叩打するため、その衝撃により集塵フィルターが破損する場合がある。この対策として、耐久性の高い素材で集塵フィルターを構成することも可能であるが、素材の選択幅が制限されてしまう。
【０００７】
また、集塵フィルターから吹き落された粉塵はトレーに蓄積されるため、定期的にトレー自体を洗浄する必要がある。さらに、粉塵は煙草のヤニなどが混在しているため粘性がある。このため集塵フィルターだけでなく集塵室全体の側面にも付着しやすくなる。したがって、清掃はトレーだけにとどまらず集塵室全体にも行き渡らせる必要があり労力を要する。
【０００８】
本発明は、上記の実情に鑑みて提案されたものである。すなわち、集塵力が低下することなく、集塵パックの交換時期を長期化させることができるとともに、負圧ケースを清掃する労力を省くことができる集塵機が備えられた研磨揚送リフトの提供を目的とする。
【課題を解決するための手段】
【０００９】
上記目的を達成するために、本発明は、遊技球を研磨材により研磨しながら搬送し、研磨により除去された塵埃が集塵ホース内を搬送されて集塵される集塵機が備えられた研磨揚送リフトにおいて、前記集塵機は、吸引コンプレッサと、この吸引コンプレッサが接続された吸気口および前記集塵ホースが接続された集塵口が形成された負圧ケースと、前記集塵口に備えられた振動ベースと、開口部が前記負圧ケースの内側で前記集塵口を覆うと共に前記振動ベースに接続され、前記集塵口を通過した塵埃を受け取る集塵パックと、前記振動ベースを振動させることによって前記集塵パックを振動させる振動付与手段と、から構成され、前記吸引コンプレッサの吸気により負圧となった前記負圧ケースに吸引されて前記集塵パックに濾されることでこの集塵パックの内側に付着した塵埃が、前記振動付与手段によって前記振動ベースを介して振動させられた前記集塵パックの内側から剥離されることを特徴としている。
【００１０】
また、前記振動付与手段および前記吸引コンプレッサを所定のスケジュールに従って稼働または休止する制御手段が備えられたことを特徴としている。
【００１１】
また、前記集塵パックの前記開口部に着脱部材が備えられ、この着脱部材が、前記振動ベースを介して前記集塵口と着脱自在であることを特徴としている。
【発明の効果】
【００１２】
本発明に係る研磨揚送リフトでは、集塵機は、吸引コンプレッサと、この吸引コンプレッサが接続された吸気口および集塵ホースが接続された集塵口が形成された負圧ケースと、この負圧ケースの内側に在り集塵口を通過した塵埃を受け取る集塵パックと、この集塵パックを振動させる振動付与手段と、から構成され、吸引コンプレッサの吸気により負圧となった負圧ケースに吸引されて集塵パックに濾されることでこの集塵パックの内側に付着した塵埃が、振動付与手段によって振動させられた集塵パックの内側から剥離される。
この構成により、集塵パックは、振動付与手段によって振動させられ、内側に付着した塵埃が剥離されるため、通気性が良好となって吸引コンプレッサによる吸気を妨げない。
したがって、集塵パックの目詰まりが防止され、集塵力が低下することなく、集塵パックの交換時期を長期化させることができる。さらに、内側から剥離された塵埃が集塵パック内に蓄積されるため、負圧ケースを清掃する労力を省くことができる。
【００１３】
また、振動付与手段および吸引コンプレッサを所定のスケジュールに従って稼働または休止する制御手段が備えられている。
この構成により、集塵パックは内側に付着した塵埃が定期的に剥離されるため、常に良好な通気性を維持することができる。
したがって、集塵パックの集塵力を維持することができ、集塵パックの交換時期を長期化させることができる。
【００１４】
加えて、集塵パックに着脱部材が備えられ、この着脱部材は、集塵口と着脱自在である。
したがって、集塵パックを容易に交換することができるとともに、塵埃が集塵パック内に蓄積されるため、負圧ケースを清掃する労力を省くことができる。
【図面の簡単な説明】
【００１５】
【図１】本発明に係る研磨揚送リフトの一実施形態を説明する概略説明図である。
【図２】集塵機の正面図である。
【図３】集塵機の平面図である。
【図４】負圧ケースの正面断面図である。
【図５】図４のＶ−Ｖ断面図である。
【図６】負圧ケースおよび集塵パックの分解斜視図である。
【発明を実施するための形態】
【００１６】
以下に、本発明の一実施形態を図面に基づいて説明する。
【００１７】
図１において、本実施形態に係る研磨揚送リフト１では、図示しないパチンコ機から排出された遊技球２が、球通路３を流下して研磨揚送パイプ４に搬送される。研磨揚送パイプ４内では、遊技球２が軸方向に回転する螺旋撹拌具５によって研磨材Ａと共に撹拌され、研磨されながら上昇して上部タンク６へ搬送される。上部タンク６では、遊技球２が球補給通路８へ搬送され、球補給通路８を流下した遊技球２は再びパチンコ機へ搬送される。一方、遊技球２と分離された研磨材Ａは、研磨材通路９内を落下した後、研磨揚送パイプ４内へ搬送され、再び遊技球２を研磨する。同時に、研磨材Ａによって遊技球２から除去された図示しない塵埃は、研磨材通路９の途中に設けられた集塵機吸い込み口７から集塵ホース２３を通って、吸気する集塵機１０に集塵される。
【００１８】
図２、図３において、集塵機１０は研磨揚送リフト１に取り付けられ、集塵部１００と、この集塵部１００を回転可能に支持する吸引部２００とから構成されている。集塵部１００は、集塵口２４、吸気口２５、が形成された負圧ケース２０と、この負圧ケース２０の内側に備えられて塵埃を受け取る集塵パック３０と、集塵パック３０を振動させる振動付与手段としての振動装置５０とから構成されている。さらに、集塵部１００には集塵部フレーム１１０が取り付けられている。吸引部２００は、吸気口２５に接続された吸引コンプレッサ６０である。この吸引部２００には吸引部フレーム１６０が取り付けられている。
【００１９】
集塵部フレーム１１０は、向かい合う側面板１１１と、この側面板１１１の一辺同士を連接する背面板１１２と、この背面板１１２の一辺と側面板１１１の他の一辺同士とを連接する上面板１１３とから構成されている。なお、図３では理解しやすくするために上面板１１３が透かして表されている。集塵部フレーム１１０は、一方の側面板１１１ａと、他方の側面板１１１ｂに貫通して備えられた吸引コンプレッサ接続ベース８０とで負圧ケース２０を挟んで支持している。また、上面板１１３には、集塵ホース接続口１１３ａが備えられ、振動装置５０を貫通させる振動装置貫通孔が形成されている。集塵ホース接続口１１３ａは、連通部材９１を介して、負圧ケース２０に形成された集塵口２４に連通されている。なお、吸引コンプレッサ接続ベース８０については後述する。
【００２０】
図４において、連通部材９１は、一端が上面板１１３に形成された集塵ホース接続口１１３ａに、他端が負圧ケース２０に形成された集塵口２４に、それぞれ接続され、気密性を保たせつつ集塵ホース２３と負圧ケース２０とを連通している。
【００２１】
集塵ホース２３は、一端が集塵部フレーム１１０の上面板１１３に備えられた集塵ホース接続口１１３ａに接続されてホースバンドで留められ、他端が集塵機吸い込み口７に接続されている（図１参照）。
【００２２】
負圧ケース２０は、透明な略六面体の箱であり、負圧ケース本体２１と、この負圧ケース本体２１を閉塞する負圧ケース蓋２２とから構成されている。また、負圧ケース２０は、負圧ケース本体２１と負圧ケース蓋２２とを開閉可能とする着脱可能なヒンジ部２７が背面側に、開閉時に係止または係止を解除する係止部２８が正面側にそれぞれ備えられている（図６参照）。負圧ケース蓋２２は、負圧ケース本体２１の縁と嵌合する縁に負圧ケースシールゴム２６が周回して備えられ、この負圧ケースシールゴム２６を介して負圧ケース本体２１と嵌合することで、閉塞された負圧ケース２０内の気密性を保つことができる。
【００２３】
さらに、負圧ケース２０には、集塵ホース接続口１１３ａおよび連通部材９１を介して集塵ホース２３が接続された集塵口２４と、振動装置５０とが上面側に備えられている。上面側はこの集塵口２４に貫通されているが、リング状の集塵口シールゴム９２が備えられているため、負圧ケース２０内の気密性を保つことができる。さらに、負圧ケース２０内を吸気する吸引コンプレッサ６０が接続された吸気口２５が他方の側面側に形成されている。この吸気口２５は、負圧ケース本体２１と負圧ケース蓋２２との嵌合箇所に形成されている（図６参照）。負圧ケース２０は、負圧ケース蓋２２の一方の側面側が側面板１１１ａに、他方の側面側が吸引コンプレッサ接続ベース８０に、それぞれビスで固定されることで集塵部フレーム１１０に支持されている。
【００２４】
負圧ケース本体２１の内側には、複数の集塵パック隔離部２１ａが側面側および底面側から内側に突出して形成されている。集塵パック隔離部２１ａは、略等間隔に形成され、吸引コンプレッサ稼働時に集塵パック３０を膨れやすくすると共に、集塵により膨れた集塵パック３０が負圧ケース本体２１の内側の側面側および底面側と密着することを防いでいる。
【００２５】
集塵口２４には、振動ベース７０と、この振動ベース７０に装着された着脱部材４０とが備えられ、この着脱部材４０を介して集塵パック３０が被せされている。
【００２６】
図６において、集塵パック３０は、開口部３１を有する袋状に形成されており、塵埃を蓄積できるように膨らんで袋状に変形されているが、未使用時では略板状に折り畳まれている。また、図４において、集塵パック３０には、塵埃付着範囲３０ａと、塵埃蓄積範囲３０ｂとが形成されている。ここで、塵埃付着範囲３０ａは、負圧ケース２０に形成された吸気口２５近辺に形成され、集塵口２４を通過して集塵された塵埃が吸気により付着する範囲である。一方塵埃蓄積範囲３０ｂは、吸気口２５よりも略下方近辺に形成され、塵埃付着範囲３０ａに付着した塵埃が、後述する振動装置５０により加えられる振動によりふるい落とされて蓄積される範囲である。なお、両範囲（３０ａ、３０ｂ）は、互いの境界や集塵パック３０内での範囲が厳密に決定されるものではなく、吸気の強さ、集塵パック３０の形状、集塵口２４および吸気口２５の位置などによって異なる。ただし、重力により塵埃が上方から下方に落下することを考えれば、塵埃付着範囲３０ａが上方に、塵埃蓄積範囲３０ｂが下方にそれぞれ形成されることになる。
【００２７】
図６において、開口部３１には、略中央に板紙孔３２ａが形成された板紙３２が、板紙孔３２ａと開口部３１とが連通するように揃えて備えられている。集塵パック３０は、板紙３２が着脱部材４０を介して集塵口２４に被せられて負圧ケース２０内に収納されている。集塵パック３０には、例えば、紙、不織布などの通気性の良い素材が用いられる。
【００２８】
着脱部材４０は略板状に形成され、略中央に着脱部材孔４０ａが形成されている。着脱部材４０の一方の面（振動ベース７０に装着する側）には、略四隅に凸形突起４１が形成されている。着脱部材４０は、着脱部材孔４０ａと板紙３２に形成された板紙孔３２ａとが揃うように、他方の面（集塵パック３０を支持する側）で板紙３２を重ね合わせた状態で支持している。着脱部材４０は、板紙３２を支持するため、四辺のうち三つの縁辺が他方の面側に折り返され、板紙３２の縁辺を囲って支持するレール部４２が形成されている。レール部４２が形成されていない一の縁辺には、開放部４３が形成されている。
【００２９】
図５、図６において、振動ベース７０は略板状に形成され、略中央に振動ベース孔７０ａが形成されている。振動ベース７０は、振動ベース孔７０ａが集塵口２４に貫通され、この集塵口２４を中心に所定の範囲内で回転可能に支持されている。振動ベース孔７０ａの周囲にはビス孔７６が形成されている。振動ベース７０は、他方の面（負圧ケース蓋２２に支持させる側）が負圧ケース２０の内側上面に略平行となるように対面し、ビス孔７６に挿入されたビスにより支持されている。このビス孔７６には、振動ベース孔７０ａの周方向と同じ向きに所定の遊びが設けられている。この所定の遊びの幅は、振動ベース７０が回転可能な範囲と略同一である。
【００３０】
振動ベース７０は、隣り合う２つの角近傍から係止爪７１が、係止爪７１間の縁辺から押え爪７２が、押え爪７２と向かい合う縁辺から図示しない係止爪が、一方の面（着脱部材４０を装着する側）から厚さ方向にそれぞれ突出している。また、振動ベース７０は、一の縁辺からバネ引掛爪７３が平面方向に突出し、このバネ引掛爪７３と振動ベース孔７０ａとの間に振動変換孔７４が形成されている。振動ベース７０の略四隅には、着脱部材４０の略四隅に形成された凸形突起４１に対応する位置にスリット７５が形成されている。
【００３１】
振動変換孔７４の内周には、後述する振動装置５０を構成する振動変換歯車５４の歯に接触する段部７４ａが形成されている。
【００３２】
振動ベース７０は、引張状態のコイルバネ７７によって、図５において集塵口２４を中心軸に時計回りに引っ張られた状態で維持されている。
【００３３】
コイルバネ７７は、一端が振動ベース７０に形成されたバネ引掛爪７３に引っ掛けられ、他端が、負圧ケース２０の内側上面側に固定されている。
【００３４】
図４において、振動装置５０は、駆動モータ５１と、駆動歯車５２と、被駆動歯車５３と、振動変換歯車５４（図５参照）とから構成されている。振動装置５０には、振動装置フレーム１５０が取り付けられ、この振動装置フレーム１５０が負圧ケース２０の外側上面側に取り付けられている。なお、駆動モータ５１は、集塵部フレーム１１０を構成する上面板１１３に形成された振動装置貫通孔を貫通しているが、駆動モータ５１が上面板１１３と接触しない大きさや形であれば、上面板に振動装置貫通孔を設ける必要はない。
【００３５】
駆動モータ５１には駆動歯車５２が備えられ、この駆動歯車５２と被駆動歯車５３とのそれぞれの軸が平行になるように噛み合わされている。被駆動歯車５３は、振動装置フレーム１５０に備えられた支持軸５５に軸支されている。この支持軸５５は、負圧ケース２０の上面側を内側へ貫通し、先端に振動変換歯車５４が被駆動歯車５３と同軸上に軸支されている。この振動変換歯車５４は、振動ベース７０に形成された振動変換孔７４に収められ、円周が振動変換孔７４の内周に形成された段部７４ａに接触している（図５参照）。
【００３６】
図５において、振動変換歯車５４には、長半径と短半径を組み合わせることで円周に複数の起伏部５４ａが形成されている。起伏部５４ａは、円周が長半径から短半径へ急激に縮径する谷部５４ｂと、短半径から長半径へ緩やかに拡径する山部５４ｃとから構成されている。
【００３７】
図６において、吸引コンプレッサ接続ベース８０は、略円盤状に形成され、一面から円筒状の連通吸気口８２が突出し、他面に吸引コンプレッサ６０の吸引口６１（図３参照）に被せる吸引口蓋部８３が形成されている。連通吸気口８２の外周には、リング状の吸気口シールゴム９０が備えられ、内側には吸引コンプレッサ接続ベース８０を貫通する通風連通路８５が形成されている。吸引コンプレッサ接続ベース８０は、連通吸気口８２が負圧ケース２０の他方の側面側に形成された吸気口２５に吸気口シールゴム９０を介して備えられ、吸引口蓋部８３が吸引コンプレッサ６０の吸引口６１に被せられている。吸気口シールゴム９０は、負圧ケース２０内の気密性を保たせるように、連通吸気口８２と吸気口２５との間に嵌合されている。
【００３８】
図２、図３において、吸引コンプレッサ６０は、例えばブロアモータであり、吸引部フレーム１６０が取り付けられ、この吸引部フレーム１６０が集塵部フレーム１１０を構成する他方の側面板１１１ｂに取り付けられている。吸引コンプレッサ６０には、ファンを回転させて吸気する吸引口６１が形成されている。吸引口６１は、内周と略同径の円盤状の図示しないスポンジが備えられ、吸引コンプレッサ接続ベース８０の吸引口蓋部８３が被せられている。吸引コンプレッサ６０には、圧力センサ６３が吸引部フレーム１６０に取り付けられている。圧力センサ６３は、図示しないコイルバネが挿入されたチューブ６４によって吸引コンプレッサ６０の吸引口６１に接続され、吸気による負圧が規定値に達すると図示しない外部装置などへ信号を出力する出力端子が備えられている。
【００３９】
次に、集塵パック３０を振動ベース７０に取り付けるための手順について図面に基づいて説明する。
【００４０】
図６において、集塵パック３０に備えられた板紙３２を、開放部４３側からスライドし、レール部４２に支持させて着脱部材４０に装着する。次に、着脱部材４０を一方の面側から振動ベース７０の一方の面に装着する。このとき、着脱部材４０に形成された凸形突起４１が、振動ベース７０に形成されたスリット７５に嵌合し、振動ベース７０に形成された係止爪７１が、着脱部材４０の縁辺を係止する。さらに、振動ベース７０に形成された押え爪７２が、開放部４３の一部を閉塞することで板紙３２の離脱を防ぐ。
【００４１】
板紙３２、着脱部材４０、振動ベース７０は、それぞれ略中央に形成された板紙孔３２ａ、着脱部材孔４０ａ、振動ベース孔７０ａが負圧ケース２０の内側上面側に形成された集塵口２４と同軸上に揃えられ、この集塵口２４に貫通されている。
【００４２】
このようにして、着脱部材４０を介して集塵パック３０を振動ベース７０に取り付けることができる。また、着脱部材４０と振動ベース７０とは着脱自在であるため、この手順を逆に辿ることにより、集塵パック２０を取り外して容易に交換することができる。
【００４３】
上記のように構成された集塵機１０によれば、遊技球２から除去された塵埃は以下のように集塵される。ここで、吸気による空気の流れと塵埃の流れとは経路が同じであるため、理解しやすくするために、それぞれの流れを併せて説明する。
【００４４】
図１、図２において、集塵機１０を稼働させると、集塵機１０を構成する吸引コンプレッサ６０がファンを回転させて吸気を開始する。研磨揚送パイプ４内で遊技球２から除去された塵埃は集塵機引き込み口７から集塵ホース２３を経由して集塵機１０を構成する負圧ケース２０内に吸引される。図４において、吸引された塵埃は、吸引コンプレッサ６０による吸気が集塵口２４に被せられた集塵パック３０の内側から外側へ向かうため、塵埃が集塵パック３０に濾されて内側の吸気口２５近辺を中心に付着し、空気のみが集塵パック３０を通過する。通過した空気は、吸引コンプレッサ接続ベース８０の通風連通路８５を通って吸引コンプレッサ６０の吸引口６１より吸気される。仮に、僅かな塵埃が集塵パック３０を通過した場合であっても、吸気口６１には円盤状スポンジが備えられているため、吸引コンプレッサ６０内に塵埃が入らない。
【００４５】
図４において、塵埃は具体的には集塵パック３０の内側の、特に、塵埃付着範囲３０ａに付着する。塵埃によって集塵パック３０が目詰まりを起こすと集塵力が低下するが、振動装置５０を稼働させて集塵パック３０を振動させることで塵埃を剥離して目詰まりを防ぐことができる。駆動モータ５１を駆動させると、回転運動は駆動歯車５２、被駆動歯車５３を介して、振動変換歯車５４に伝達される。
【００４６】
図５において、振動ベース７０は、引張状態のコイルバネ７７の復元力により集塵口２４を中心軸として時計回りに引っ張られている。また、振動変換歯車５４の外周が振動変換孔７４の内周に接触しているため、振動ベース７０は復元力に逆らって停止している。この状態で円周に起伏部５４ａが形成された振動変換歯車５４を時計回りに回転させると、谷部５４ｂが段部７４ａを通過する際、振動ベース７０は、振動変換歯車５４に対して段部７４ａがコイルバネ７７の復元力によって谷部５４ｂに沿って瞬時に振動変換歯車５４の中心に引き寄せられるため、瞬時に時計回りに傾けられて山部５４ｃの麓（谷部５４ｂとの境界）に接触する。さらに振動変換歯車５４が回転し、山部５４ｃが段部７４ａを通過する際には、振動ベース７０は、振動変換歯車５４に対して段部７４ａが山部５４ｃに沿って谷部５４ｂに至る間にゆっくり振動変換歯車５４の中心から遠ざけられるため、ゆっくり反時計回りに傾けられる。
【００４７】
この動作が繰り返されると、振動ベース７０は、集塵口２４を中心軸に時計回り、反時計回りの回転を交互に繰り返す。すなわち、振動ベース７０は、谷部５４ｂが段部７４ａを通過すると時計回りに傾き、山部５４ｃを経て再び谷部５４ｂが接近するまでの間に反時計回りに傾いて元の位置に戻るため、集塵口２４を中心軸に振動する。
【００４８】
具体的には、振動変換歯車５４の直径を略２０ｍｍとし、この振動変換歯車５４を駆動モータ５１で毎分３０回転駆動させることで四つの起伏部５４ａを段部７４ａに毎秒２回接触させ、振動ベース７０を振動させる。
【００４９】
なお、振動の周期や振幅は、駆動モータ５１の回転速度、振動変換歯車５４の大きさ、谷部５４ｂと山部５４ｃとの差などにより変更することができる。また、振動ベース７０の振動は、負圧ケース２０内の気密性が保たれる構成であれば集塵口２４を軸とした回転の他、軸方向などであってもよい。また、振動を発生させる構造は本実施形態に限定されず、例えば、偏心を利用した振動モータや圧電素子を利用した超音波モータなどを用いてもよい。
【００５０】
集塵パック３０が振動すると、塵埃付着範囲３０ａに付着した塵埃は振るい落され、塵埃蓄積範囲３０ｂに蓄積される。集塵パック３０は、塵埃付着範囲３０ａから塵埃が剥離されることで、目詰まりを起こすことなく集塵力を維持して集塵し続ける。
【００５１】
集塵パック３０が振動している間、すなわち、振動装置５０が駆動している間は、吸引コンプレッサ６０が所定のスケジュールに制御されてファンの回転を停止する。
【００５２】
振動装置５０および吸引コンプレッサ６０の制御は、制御手段としての例えばタイマーリレーやシーケンサーなどによって行い、所定の時刻となった場合や所定の時間が経過した場合など、あらかじめ設定したスケジュールに従って稼働、休止するようにする。例えば、吸引コンプレッサ６０を６時間毎に１分間休止させ、その間に振動装置５０を３０秒間稼働させる、などのスケジュールを組む。更に、圧力センサ６３による信号に基づいて制御することも可能である。なお、手動によるスイッチのオンまたはオフによる制御も可能である。また、制御手段は、ホールコンピュータに備えられていてもよい。
【００５３】
上記したように、本実施形態に係る研磨揚送リフト１によれば、集塵パック３０は、駆動モータ５１によって回転した振動変換歯車５４の起伏部５４ａに段部７４ａが沿うことで振動ベース７０が振動し、この振動ベース７０に装着された着脱部材４０と共に振動する。この構成により、集塵パック３０は内側に付着した塵埃が剥離されて通気性が良好となり、吸引コンプレッサによる吸気を妨げない。したがって、集塵パック３０の目詰まりが防止され、集塵力が低下せず、集塵パック３０の交換時期を６カ月程度に長期化させることができる。
【００５４】
集塵パック３０は、着脱部材４０によって振動ベース７０と着脱自在に負圧ケース２０内に備えられている。したがって、塵埃で一杯となった集塵パック３０を容易に取り外し、交換することができる。また、負圧ケース２０が塵埃により汚れることがないため、負圧ケースを清掃する労力を省くことができる。
【００５５】
負圧ケース２０は、負圧ケース本体２１と負圧ケース蓋２２とから構成され、これらは着脱可能であるため、塵埃が蓄積された負圧ケース本体２１を負圧ケース蓋２２から外すことができる。具体的には、負圧ケース２０の正面側に備えられた係止部２８を解除し、負圧ケース本体２１を負圧ケース蓋２２に対し横向きにスライドすることで負圧ケース２０の背面側に備えられたヒンジ部２７を雄側と雌側とに分離することができる。したがって、負圧ケースに２０収納された集塵パック３０の交換が容易に行える。
【００５６】
なお、負圧ケース２０は、本実施形態のように負圧ケース本体２１と負圧ケース蓋２２とを分離する構成に限られず、正面側に点検口として扉を設けて構成してもよい。そして、扉には気密性を保たせるようシールゴムを備え付ける。この構成により、集塵パック３０の交換は扉の開閉のみの作業で行うことができる。したがって、集塵パック３０の交換がさらに容易に行える。
【００５７】
負圧ケース２０は、負圧ケース蓋２２の縁に負圧ケース本体２１の縁と嵌合する負圧ケースシールゴム２６が周回し、集塵口２４に集塵口シールゴム９２が、吸気口２５に吸気口シールゴム９０が、それぞれ備えられてシールされる。この構成により、負圧ケース２０内の気密性が保たれる。したがって、集塵機１０の集塵力を高めることができる。
【００５８】
負圧ケース２０には、複数の集塵パック隔離部２１ａが側面側および底面側から内側に突出して形成されている。この構成により、集塵により膨れた集塵パック３０と負圧ケース本体２１の側面側および底面側の内側との間に空隙が形成され、集塵パック３０が負圧ケース２０の内側と密着することがない。したがって、吸引コンプレッサ６０の稼働時に、集塵パック３０が膨れやすくなり、また、集塵パック３０の通気性を確保することができ、集塵力が低下することがない。
【００５９】
振動装置５０および吸引コンプレッサ６０は、稼働および休止が所定のスケジュールによって制御され、振動装置５０からの振動により集塵パック３０が振動する。この構成により、集塵パック３０は内側に付着した塵埃が定期的に剥離され、常に良好な通気性が維持される。したがって、集塵機１０の集塵力を維持することができ、集塵パック３０の交換時期を長期化させることができる。
【００６０】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００６１】
１                            研磨揚送リフト
２                            遊技球
３                            球通路
４                            研磨揚送パイプ
５                            螺旋撹拌具
６                            上部タンク
７                            集塵機吸い込み口
８                            球補給通路
９                            研磨材通路
１０                          集塵機
２０                          負圧ケース
２１                          負圧ケース本体
２１ａ                        集塵パック隔離部
２２                          負圧ケース蓋
２３                          集塵ホース
２４                          集塵口
２５                          吸気口
２６                          負圧ケースシールゴム
２７                          ヒンジ部
２８                          係止部
３０                          集塵パック
３０ａ                        塵埃付着範囲
３０ｂ                        塵埃蓄積範囲
３１                          開口部
３２                          板紙
３２ａ                        板紙孔
４０                          着脱部材
４０ａ                        着脱部材孔
４１                          凸形突起
４２                          レール部
４３                          開放部
５０                          振動装置
５１                          駆動モータ
５２                          駆動歯車
５３                          被駆動歯車
５４                          振動変換歯車
５４ａ                        起伏部
５４ｂ                        谷部
５４ｃ                        山部
５５                          支持軸
６０                          吸引コンプレッサ
６１                          吸引口
６３                          圧力センサ
６４                          チューブ
７０                          振動ベース
７１                          係止爪
７２                          押え爪
７３                          バネ引掛爪
７４                          振動変換孔
７４ａ                        段部
７５                          スリット
７０ａ                        振動ベース孔
７６                          ビス孔
７７                          コイルバネ
８０                          吸引コンプレッサ接続ベース
８２                          連通吸気口
８３                          吸引口蓋部
８５                          通風連通路
９０                          吸気口シールゴム
９１                          連通部材
９２                          集塵口シールゴム
１００                        集塵部
１１０                        集塵部フレーム
１１１（１１１ａ、１１１ｂ）  側面板
１１２                        背面板
１１３                        上面板
１１３ａ                      集塵ホース接続口
１５０                        振動装置フレーム
１６０                        吸引部フレーム
２００                        吸引部
Ａ                            研磨材
【図１】
0005445793.tif 000002
【図２】
0005445793.tif 000003
【図３】
0005445793.tif 000004
【図４】
0005445793.tif 000005
【図５】
0005445793.tif 000006
【図６】
0005445793.tif 000007